(57)【特許請求の範囲】
【請求項１】
作業手順書に基づく一連の作業を構成する作業項目の作業を実施し、その運用状況を作業者側に通知する運用支援システムにおいて、
前記作業手順書の作業項目と該作業項目の実施時間要素とを組み合わせたシナリオを作成し、該シナリオに基づいて作業を実施する機能を有するサーバを含み、前記シナリオの実施時間要素に従って前記作業項目の作業を実施する運用自動化支援システムであって、
前記サーバは、
前記作業手順書の作業項目と該作業項目の実施時間要素とを組み合わせたシナリオを作成し、当該シナリオを登録部に登録するシナリオ運用準備部と、前記シナリオの作業項目の作業を実施、または前記シナリオの実施時間要素に従って前記作業項目の作業を実施するシナリオ運用実行部を有し、
前記シナリオ運用実行部は、
前記作業項目を、複数の関係部署または複数の関係作業者毎の作業シナリオ・レーンに展開する手段と、
前記複数の作業シナリオ・レーンに展開した各作業項目の繋がりをサービスシナリオとして、当該作業シナリオ・レーン間の相互インタラクションにて構成する手段と、
前記サービスシナリオを構成する各作業項目に前記実施時間要素を組み込む手段と、
前記シナリオを実施する処理手段と、当該処理手段により前記作業項目の作業を実施したとき、その作業実施実績の情報を実行エビデンスとしてデータベースに登録する処理手段と、
前記データベースの実行エビデンスを前記サーバ、及び／または当該サーバに接続されるクライアント側に通知し、当該サーバ及び／またはクライアント側の表示部に当該実行エビデンスを前記シナリオの一連の作業項目に対応付けて、当該シナリオの作業項目と当該実行エビデンスの相関関係を可視化可能に表示する処理手段と、
を設けたことを特徴とする運用自動化支援システム。
【請求項２】
運用現場の自動化支援環境にある運用自動化支援装置において、
前記手順書の作業項目と該作業項目の実施時間要素とを組み合わせたシナリオを作成し、当該シナリオを登録部登録するシナリオ運用準備部と、前記シナリオの作業項目を実施、または前記シナリオの実施時間要素に基づいて実施する情報システムを有し、
前記情報システムは、
前記前記作業手順書の作業項目と該作業項目の実施時間要素とを組み合わせたシナリオを作成し、当該シナリオを登録部に登録するシナリオ運用準備部と、前記シナリオの実施時間要素に従って前記作業項目の作業を実施するシナリオ運用実行部を有し、
前記運用準備部は、
運用関係者からの前記作業手順書の情報を受け、該情報から複数の作業項目に分解するシナリオ分解処理手段と、
前記分解手段にて分解された作業項目と該作業項目の実施時間要素とを組み合わせたシナリオを作成し、当該作成シナリオを登録部に登録するシナリオ作成処理手段と、
を含み、
前記運用実行部は、
前記作業項目を、複数の関係部署または複数の関係作業者毎の作業シナリオ・レーンに展開する手段と、
前記複数の作業シナリオ・レーンに展開した各作業項目の繋がりをサービスシナリオとして、当該作業シナリオ・レーン間の相互インタラクションにて構成する手段と、
前記サービスシナリオを構成する各作業項目に前記実施時間要素を組み込む手段と、
前記シナリオ作成手段にて作成され、当該シナリオの実施時間要素に基づいて当該作業項目を実行するシナリオ実行処理手段と、
前記シナリオ実行処理手段で実行された前記作業項目の運用状況を前記運用関係者に通知する通知処理手段と、
前記シナリオ実行処理手段により前記作業を実施したとき、その実施作業実績を実行エビデンスとしてナリッジデータベースに登録する登録処理手段と、
前記ナリッジデータベースの実行エビデンスを前記サーバ、及び／または当該サーバに接続されるクライアント側に通知し、当該サーバ及び／またはクライアント側の表示部に当該実行エビデンスを前記シナリオの一連の作業項目に対応付けて、当該シナリオの作業項目と当該実行エビデンスの相関関係を可視化可能に表示する表示処理手段と、
前記作業項目を、複数の関係部署または複数の関係作業者毎の作業シナリオ・レーンに展開する手段と、
前記複数の作業シナリオ・レーンに展開した各作業項目の繋がりをサービスシナリオとして、当該作業シナリオ・レーン間の相互インタラクションにて構成する手段と、
前記サービスシナリオを構成する各作業項目に前記実施時間要素を組み込む手段と、
を備えたことを特徴とする運用自動化支援装置。
【請求項３】
作業手順書に基づく一連の作業を構成する作業項目の作業を実施し、その運用状況を作業者側に通知する運用自動化支援装置における運用支援方法において、
前記運用自動化支援装置は、
前記作業手順書の作業項目と該作業項目の実施時間要素とを組み合わせたシナリオを作成し、該シナリオに基づいて作業項目の作業を実施するサーバを備え、
前記サーバは、作業項目と当該作業項目の実施タイミングに関連する実施時間要素とを組み合わせたシナリオを作成し、該シナリオに基づいて該作業項目の作業を実施するコンピュータを有し、
前記コンピュータは、
前記作業項目を、複数の関係部署または複数の関係作業者毎の作業シナリオ・レーンに展開するステップと、
該複数の作業シナリオ・レーンに展開した各作業項目の繋がりをサービスシナリオとして、当該作業シナリオ・レーン間の相互インタラクションにて構成するステップと、
当該サービスシナリオを構成する各作業項目に前記実施時間要素を組み込むステップと、
前記作成したシナリオをサービス提供者側の運用自動化支援装置の登録部に登録するステップと、
前記シナリオの実施時間要素に従って前記作業項目の作業を実施するステップと、
前記運用自動化支援装置のコンピュータにより前記作業を実施したとき、その実施実績の情報を実行エビデンスとしてデータベースに登録するステップと、
前記データベースの実行エビデンスを前記サーバ、及び／または当該サーバに接続されるクライアント側に通知し、当該サーバ、及び／またはクライアント側の表示部に当該実行エビデンスを前記シナリオの一連の作業項目に対応付けて、当該シナリオの作業項目と当該実行エビデンスの相関関係を可視化可能に表示するステップと、
を備えたことを特徴とする運用自動化支援方法。
【請求項４】
請求項３に記載された運用自動化支援方法において、
前記コンピュータは、さらに
前記作業実施ステップの状況又は完了をサービス提供者側に通知するステップと、
を備えたことを特徴とする運用自動化支援方法。
【請求項５】
作業手順書に基づく一連の作業を構成する作業項目の作業を実施し、その運用状況を作業者側に通知する運用自動化支援装置における運用支援システムにおいて、
前記作業手順書の作業項目と該作業項目を実施する時間要素とを組み合わせたシナリオを作成し、該時間要素に従って該作業項目の作業を実施するサーバを含む運用自動化支援システムにおけるサービスシナリオの遂行統制方式であって、
前記運用自動化支援装置は、
前記作業項目を、複数の関係部署または複数の関係作業者毎の作業シナリオ・レーンに展開する手段と、
該複数の作業シナリオ・レーンに展開した各作業項目の繋がりをサービスシナリオとして、当該作業シナリオ・レーン間の相互インタラクションにて構成する手段と、
当該サービスシナリオを構成する各作業項目に前記時間要素を組み込む手段と、
前記時間要素を受け、各作業項目の進捗状態を確認する手段と、
前記作業項目の運用状況を前記運用支援システムの運用関係者に通知する手段と、
前記運用自動化支援装置により前記作業を実施したとき、その実施実績の情報を実行エビデンスとしてナリッジデータベースに登録する手段と、
前記データベースの実行エビデンスを前記サーバ、または当該サーバに接続されるクライアントの表示部に可視化可能に表示する手段と
を設けたことを特徴とする運用自動化支援システムにおけるサービスシナリオの遂行統制方式。
【請求項６】
作業手順書に基づく一連の作業を構成する作業項目の作業を実施し、その運用状況を作業者側に通知し、前記作業手順書の作業項目と該作業項目を実施する時間要素とを組み合わせたシナリオを、該シナリオに基づいて作業を実施するクライアントとサーバを備えたサービス提供者側の運用自動化支援装置に登録し、前記シナリオの作業項目を実施するまたは前記シナリオを実施する時間要素に関連して前記作業項目の作業を実施する運用自動化支援システムにおけるサービスシナリオの遂行統制装置であって、
前記運用自動化支援装置は、
前記作業項目を、複数の関係部署または複数の関係作業者毎の作業シナリオ・レーンに展開する手段と、
該複数の作業シナリオ・レーンに展開した各作業項目の繋がりをサービスシナリオとして、当該作業シナリオ・レーン間の相互インタラクションにて構成する手段と、
当該サービスシナリオを構成する各作業項目に前記時間要素を組み込む手段と、
前記時間要素を受け、各作業項目の進捗状態を確認する手段と、
前記運用自動化支援装置で実行された前記作業項目の運用状況を前記運用関係者に通知する手段を設け、
前記通知手段は、前期作業項目の運用状況を前記運用自動化支援システムの運用関係者に通知する際に、前記各作業項目毎に組み込まれた前記時間要素を通知するものであり、
また、前記運用自動化支援装置により前記作業を実施したとき、その実施実績の情報を実行エビデンスとしてナリッジデータベースに登録する手段と、
前記データベースの実施実績の情報を、可視化可能に表示する手段と
を設けたことを特徴とする運用自動化支援システムにおけるサービスシナリオの遂行統制装置。
【請求項７】
運用現場の自動化支援環境にある運用自動化支援装置を備えた運用自動化支援システムにおいて、
運用関係者からの作業手順書の情報を受け、該情報から複数の作業項目に分解する分解部と、
前記分解部にて分解された作業項目と該作業項目を実施する時間要素とを組み合わせたシナリオを作成するシナリオ作成部と、
前記シナリオ作成部にて作成されたシナリオを登録する登録部と、
前記登録部に登録された前記シナリオで設定された前記時間要素に基づいて前記シナリオの前記作業項目を実行する実行部と、
前記実行部で実行された前記作業項目の運用状況を前記運用関係者に通知する通知部と、
を備え、
作業手順書に基づく一連の作業を構成する作業項目の作業を実施し、その運用状況を作業者側に通知する運用自動化支援装置におけるサービスシナリオの遂行統制装置であって、
前記実行部は、
前記作業項目を、複数の関係部署または複数の関係作業者毎の作業シナリオ・レーンに展開する手段と、
該複数の作業シナリオ・レーンに展開した各作業項目の繋がりをサービスシナリオとして、当該作業シナリオ・レーン間の相互インタラクションにて構成する手段と、
当該サービスシナリオを構成する各作業項目に前記時間要素を組み込む手段と、
前記時間要素を受け、各作業項目の進捗状態を確認する手段と、
前記運用自動化支援装置により前記作業を実施したとき、その実施実績を実行エビデンスとして登録する手段と、
該データベースの実施実績の結果を可視化可能に表示する手段と
を設け、
前記通知部は、前記作業項目の運用状況を前記運用関係者に通知する際に、前記各作業項目毎に組み込まれた時間要素を通知する手段を含むことを特徴とする自動化支援システムにおけるサービスシナリオの遂行統制装置。
【請求項８】
前記通知部が、前記シナリオを構成するシナリオ・オブジェクトを制御し、前記作業項目の進捗状況を、色分け、あるいはブリンクにて視覚的に識別する制御部を含んでいる、請求項７記載の運用自動化支援システムにおけるサービスシナリオの遂行統制装置。
【請求項９】
更に、前記運用自動化支援装置から展開されるアクション・シーケンスを管理し、該アクション・シーケンスに従った作業項目の詳細作業手順の実行を支援するアクション・ナビと、前記運用自動化支援装置と連携し、遠隔操作を支援するオペレーションズ・アシスタント、前記通知部の通知の収容、管理する通信ツールを含むツール群とを備えた請求項７の運用自動化支援システムにおけるサービスシナリオの遂行統制装置。
【請求項１０】
作業手順書に基づく一連の作業を構成する作業項目の作業を実施し、その運用状況を作業者側に通知する運用自動化支援システムにおけるサービスシナリオの遂行統制方法であって、
前記運用自動化システムは、
前記作業手順書の作業項目と該作業項目を実施する時間要素とを組み合わせたシナリオを、該シナリオに基づいて作業を実施するクライアントとサーバを備えたサービス提供者側の運用自動化支援装置に登録するステップと、前記シナリオの作業項目を実施するステップまたは前記シナリオを実施する時間要素に従って前記作業項目の作業を実施するステップと、
前記作業項目を、複数の関係部署または複数の関係作業者毎の作業シナリオ・レーンに展開するステップと、
該複数の作業シナリオ・レーンに展開した各作業項目の繋がりをサービスシナリオとして、当該作業シナリオ・レーン間の相互インタラクションにて構成するステップと、
当該サービスシナリオを構成する各作業項目に前記時間要素を組み込むステップと、
前記時間要素を受け、各作業項目の進捗状態を確認するステップと、
前記運用自動化支援装置により前記作業を実施したとき、その都度必要に応じてデータベースに登録するステップと、
該データベースの実施実績の情報を可視化するために表示するステップ
を設けたことを特徴とする運用自動化支援システムにおけるサービスシナリオの遂行統制方法。
【請求項１１】
運用自動化支援システムにおけるサービスシナリオの遂行統制方法において、
前記運用自動化支援システムは、
作業手順書の作業項目の作業と該作業の実施に関連する時間要素である絶対時刻又は相対時刻とを含むシナリオを作成するステップと、
前記シナリオの前記時間要素の時刻が到来したとき、該時刻に基づいて前記作業を実施するステップと、
前記作業実施ステップの状況又は完了をサービス提供者側に通知するステップと、を有し、
前記シナリオを作成するステップは、
前記作業項目を、複数の関係部署または複数の関係作業者毎の作業シナリオ・レーンに展開するステップと、
該複数の作業シナリオ・レーンに展開した各作業項目の繋がりをサービスシナリオとして、当該作業シナリオ・レーン間の相互インタラクションにて構成するステップと、
当該サービスシナリオを構成する各作業項目に前記時間要素を組み込むステップと、
前記時間要素を受け、各作業項目の進捗状態を確認するステップを含み、
前記通知するステップは、
前記作業項目の運用状況を前記運用自動化支援システムの運用関係者に通知する際に、前記各作業項目毎に組み込まれた前記時間要素を通知するステップであり、
更に、前記運用自動化支援装置により前記作業を実施したとき、その都度必要に応じて実施実績をデータベースに登録するステップと、
前記データベースの実施実績の情報を可視化するために表示するステップを含む
ことを特徴とする運用自動化支援システムにおけるサービスシナリオの遂行統制方法。
【発明の詳細な説明】
【技術分野】
【０００１】
本発明は、サービス提供環境における作業遂行のための運用自動化支援システム等に関する。
更に詳述すれば、作業手順書の作業項目の作業を自動的に実現し、その状況を作業者側に通知するサービス提供環境における作業遂行のための運用自動化支援システム、サービス提供環境における作業遂行のための運用自動化支援装置、サービス提供環境における作業遂行のための運用自動化支援方法及び運用自動化支援システムにおけるサービスシナリオの遂行統制方式、遂行統制装置並びに運用自動化支援システムにおけるサービスシナリオの遂行統制方法並びに運用自動化システムにおけるサービスシナリオの遂行統制方法に関する。
【背景技術】
【０００２】
ＩＴシステムを利用したＩＴ運用の現場では、様々な作業が混在しており、いろいろな形で不具合が生じている。具体的には、比較的緊急性の高い突発作業と計画的な作業、それらの混在による優先度判断の混乱や誤操作、連絡漏れなどの作業ミスである。
【０００３】
従来、運用の管理者は、例えばＩＴ管理ルールの導入や属人的な対応により、これらの作業負担の軽減、作業効率の向上やミス防止に取り組んでいるのが現状である。
【０００４】
ここで、ＩＴ管理ルールの導入や属人的な対応とは、ＩＴシステムを利用したサービス提供現場（運用現場）では、その作業者（サービス提供者）が紙ベースの作業手順書を参照しながら行うべき作業を知り遂行することであった。
【０００５】
具体例として、サービス提供者がサービス手順書を参照し、サービス提供者側の情報処理装置、例えばパーソナルコンピュータからサービス対象、例えばＩＴ環境システムをオペレーションしていた。
【先行技術文献】
【非特許文献】
【０００６】
【非特許文献１】広義ＩＴあるいは情報システムの運用を実現する業界・国際標準モデルＩＴＳＭＳ(IT Service Management System)として下記がある．
【非特許文献２】ＩＴＩＬ（IT Infrastructure Library）運用モデル
【非特許文献３】ＩＳＯ／ＩＥＣ２００００運用モデル
【発明の開示】
【発明が解決しようとする課題】
【０００７】
しかし、このような作業の仕方では、ＩＴシステムの運用現場、あるいは引越しやレイアウト変更工事など非ＩＴ系の作業現場でも、作業者は紙ベースの作業手順書を参照しながら行なうべき作業を把握し遂行していたため、作業効率が悪いのみならず、一連の作業は作業者の主体的な判断に委ねられてきたため、作業者自身が例えばその時の繁忙感に影響されて、本来なされるべき作業の実施が忘れられたりあるいは漏れたりする等の課題があった。
【０００８】
例えば、作業者が複数案件に対応中等の場合、お客様（サービス提供先）への連絡が漏れたり、次の作業への開始が遅れたりすることが頻繁に起こったり、当日のみの連絡先変更など、イレギュラーな作業（運用）を間違いなく実行する手順が煩雑になる等の課題があった。
【０００９】
従って、ＩＴシステムやサービスの運用では、例えばオンサイトあるいはリモートでの計画、実行から結果報告まで作業全般にかかわる一連の流れにかかる、「現場」のサービス実行環境を改善することが重要な課題となっている。
【課題を解決するための手段】
【００１０】
本発明は、かかる課題に鑑みてなされ、サービス提供者への作業支援について考慮したものであって、例えば、前述した先行特許文献で列挙した仕様を先取りして実現する仕組みであり、かつ複数の作業関係者（部署や作業者）間の連携にて実現される、サービスシナリオの遂行を統制する環境を構築し、作業効率をより向上するものである。
【００１１】
本発明の目的は、運用現場の作業品質の向上、作業工数の削減等を図れる運用自動化支援システムにおいて、より運用現場の作業品質の向上、作業工数の低減等が図れる運用自動化支援システム及び運用自動化システムにおけるサービスシナリオの遂行統制方法などを提供することにある。
【００１２】
とともに、例えば、サービスシナリオの一連の作業項目を遂行していく各段階（ステップ）毎に応じた作業の実行結果のエビデンスを対応付け（紐付け）て、それらを、相互関係を参照しながら作業を遂行していくことにより、当該サービスの作業効率や作業品質を高めることができ、またサービスの初回実行のみならず、同一の作業を再実行するような場合においても、既に実行された先の実行結果にかかる実績情報を参照、利用することができる運用自動化支援システム及び運用自動化システムにおけるサービスシナリオの遂行統制方法を提供することにある。
【００１３】
本発明は、前記目的を達成するため、作業手順書の作業項目の作業を実施し、運用状況を作業者側に通知するＩＴ運用自動化支援システムにおいて、作業項目を含む作業シナリオの各作業項目を実行するとき、該作業項目毎の作業の実行結果、つまり作業実績情報をシナリオ情報と対応付けて登録し、該登録した作業実績を可視化する手段を設けた。
【００１４】
例えば、運用自動化支援機能を有する運用自動化支援システムにおいて、運用手順（作業手順）を自動化し、その運用状況を可視化可能に構成し、かつ運用手順を自動化するに際して、一つまたは複数のシナリオ・レーン（作業レーン）、つまりサービス提供にかかる関係部署あるいは作業者毎に作業レーンを設け、それら相互に接続したサービスを構築し、各作業単位に時間管理を行い、その各作業単位の進捗状況に応じて予め定義・予定した手段により関係部署あるいは担当者に通知し得る仕組み構成とし、かつ作業を実施した際には、例えば、その都度必要に応じて実施結果（作業情報）を実行エビデンスとしてデータベースに登録する構成とし、作業を実施する際に既に実施済の作業がある場合には、ノウハウ等を参照することを可能とした。
【００１５】
更に具体的には、本発明は、例えば、作業手順書の作業項目の作業を実施し、その運用状況を作業者側に通知する運用支援システムにおいて、前記作業手順書の作業項目を含むシナリオまたは前記作業手順書の作業項目と該作業項目の実施時間要素とを組み合わせたシナリオを、該シナリオに基づいて作業を実施するクライアントとサーバを備えたサービス提供者側の運用自動化支援装置に登録し、前記シナリオの作業項目の作業を実施するまたは前記シナリオの実施時間要素に従って前記作業項目の作業を実施する運用自動化支援システムであって、前記運用自動化支援装置により前記作業を実施したとき、その作業実施に伴う実行結果である実績情報を実行エビデンスとして登録するデータベースと、前記データベースの実績情報を、前記シナリオに対応付けして前記クライアントにて可視化可能とする手段と、を設けた運用自動化支援システムである。
【００１６】
本発明は、例えば、運用現場の自動化支援環境にある運用自動化支援装置において、運用関係者からの作業手順書の情報を受け、該情報から複数の作業項目に分解する分解部と、  前記分解部にて分解された前記作業手順書の作業項目を含むシナリオを作成するまたは作業項目と該作業項目の実施時間要素とを組み合わせたシナリオを作成するシナリオ作成部と、  前記シナリオ作成部にて作成されたシナリオを登録する登録部と、前記登録部に登録された前記シナリオの前記作業項目を実行するまたは前記シナリオで設定された前記時間要素に基づいて前記シナリオの前記作業項目を実行する実行部と、前記実行部で実行された前記作業項目の運用状況を前記運用関係者に通知する通知部と、前記運用自動化支援装置により前記作業を実施したとき、その作業実施に伴う実行結果の実績情報を実行エビデンスとしてナリッジデータベースに登録する登録部と、前記データベースの実績情報を、前記シナリオに対応付けして前記関係者に通知する通知部と、を備えた運用自動化支援装置である。
【００１７】
本発明は、例えば、作業手順書の作業項目の作業を実施し、その運用状況を作業者側に通知する運用支援方法において、前記作業手順書の作業項目を含むシナリオまたは前記作業手順書の作業項目と該作業項目の実施時間要素とを組み合わせたシナリオを、該シナリオに基づいて作業を実施するクライアントとサーバを備えたサービス提供者側の運用自動化支援装置に登録するステップと、前記シナリオの前記作業項目の作業を実施するまたは前記シナリオの実施時間要素に従って前記作業項目の作業を実施するステップと、前記運用自動化支援装置により前記作業を実施したとき、その作業実施に伴う実行結果の実績情報をデータベースに登録するステップと、前記データベースの実績情報を、前記シナリオに対応付けして前記クライアントにて可視化可能に表示するステップとを備えた運用自動化支援方法である。
【００１８】
本発明は、例えば、運用自動化支援方法において、作業手順書の作業項目を含むシナリオを作成するまたは作業手順書の作業項目の作業と該作業の実施に関連する絶対時刻又は相対時刻とを含むシナリオを作成するステップと、前記シナリオの作業項目の作業を実施するまたは前記シナリオの前記時刻が到来したとき、該時刻に基づいて前記作業を実施するステップと、前記作業実施ステップの状況又は完了をサービス提供者側に通知するステップと、前記運用自動化支援装置により前記作業を実施したとき、その作業実施に伴う実行結果の実績情報をデータベースに登録するステップと、前記データベースの実績情報を、前記シナリオに対応付けして前記クライアントにて可視化可能に表示するステップを備えたことを特徴とするサービス提供環境における作業遂行のための運用自動化支援方法である。
【００１９】
本発明は、例えば、作業手順書の作業項目の作業を実施し、その運用状況を作業者側に通知する運用支援システムにおいて、前記作業手順書の作業項目を含むシナリオまたは前記作業手順書の作業項目と該作業項目を実施する時間要素とを組み合わせたシナリオを、該シナリオに基づいて作業を実施するクライアントとサーバを備えたサービス提供者側の運用自動化支援装置に登録し、前記シナリオの作業を実施するまたは前記シナリオを実施する時間要素に従って前記作業項目の作業を実施する運用自動化支援システムにおけるサービスシナリオの遂行統制方式であって、前記運用自動化支援装置は、前記作業項目を、複数の関係部署または複数の関係作業者毎の作業シナリオ・レーンに展開する手段と、該複数の作業シナリオ・レーンに展開した各作業項目の繋がりをサービスシナリオとして、当該作業シナリオ・レーン間の相互インタラクションにて構成する手段と、当該サービスシナリオを構成する各作業項目に前記時間要素を組み込む手段と、前記時間要素を受け、各作業項目の進捗状態を確認する手段と、前記作業項目の運用状況を前記運用関係者に通知する手段と、前記運用自動化支援装置により前記作業を実施したとき、その作業実施に伴う実行結果の実績情報をデータベースに登録する手段と、前記データベースの実績情報を、前記シナリオに対応付けして前記クライアントにて可視化可能とする手段を設けた運用自動化支援システムにおけるサービスシナリオの遂行統制方式である。
【００２０】
また、本発明は、例えば、作業手順書の作業項目の作業を実施し、その運用状況を作業者側に通知する運用支援システムにおいて、前記作業手順書の作業項目を含むシナリオまたは前記作業手順書の作業項目と該作業項目を実施する時間要素とを組み合わせたシナリオを、該シナリオに基づいて作業を実施するクライアントとサーバを備えたサービス提供者側の運用自動化支援装置に登録し、前記シナリオの作業を実施するまたは前記シナリオを実施する時間要素に従って前記作業項目の作業を実施する運用自動化支援システムにおけるサービスシナリオの遂行統制方式であって、前記運用自動化支援装置は、前記作業項目を、複数の関係部署または複数の関係作業者毎の作業シナリオ・レーンに展開する手段と、該複数の作業シナリオ・レーンに展開した各作業項目の繋がりをサービスシナリオとして、当該作業シナリオ・レーン間の相互インタラクションにて構成する手段と、当該サービスシナリオを構成する各作業項目に前記時間要素を組み込む手段と、前記時間要素を受け、各作業項目の進捗状態を確認する手段と、前記作業項目の運用状況を前記運用関係者に通知する手段と、前記運用自動化支援装置により前記作業を実施したとき、その作業実施に伴う実行結果の実績情報をナリッジデータベースに登録する手段と、前記データベースの実績情報を、前記シナリオに対応付けして前記クライアントにて可視化可能とする手段とを設けた運用自動化支援システムにおけるサービスシナリオの遂行統制装置である。
【００２１】
本発明は、例えば、運用現場の自動化支援環境にある運用自動化支援装置を備えた運用自動化支援システムにおいて、運用関係者からの作業手順書の情報を受け、該情報から複数の作業項目に分解する分解部と、前記分解部にて分解された作業項目を含むシナリオを作成するまたは作業項目と該作業項目を実施する時間要素とを組み合わせたシナリオを作成するシナリオ作成部と、前記シナリオ作成部にて作成されたシナリオを登録する登録部と、前記登録部に登録された前記シナリオの前記作業項目を実行するまたは前記シナリオで設定された前記時間要素に基づいて前記シナリオの前記作業項目を実行する実行部と、  前記実行部で実行された前記作業項目の運用状況を前記運用関係者に通知する通知部と、  を備えた運用自動化支援装置におけるサービスシナリオの遂行統制装置であって、前記実行部は、前記作業項目を、複数の関係部署または複数の関係作業者毎の作業シナリオ・レーンに展開する手段と、該複数の作業シナリオ・レーンに展開した各作業項目の繋がりをサービスシナリオとして、当該作業シナリオ・レーン間の相互インタラクションにて構成する手段と、当該サービスシナリオを構成する各作業項目に前記時間要素を組み込む手段と、前記時間要素を受け、各作業項目の進捗状態を確認する手段と、前記運用自動化支援装置により前記作業を実施したとき、その作業実施に伴う実行結果の実績情報を実行エビデンスとして登録する手段と、該データベースの実績情報を、前記シナリオに対応付けして前記クライアントにて可視化可能とする手段とを設け、前記通知部は、前記作業項目の運用状況を前記運用関係者に通知する際に、前記各作業項目毎に組み込まれた時間要素を通知する手段を含む自動化支援システムにおけるサービスシナリオの遂行統制装置である。
【００２２】
また、本発明は、例えば、作業手順書の作業項目の作業を実施し、その運用状況を作業者側に通知する運用自動化支援システムにおけるサービスシナリオの遂行統制方法であって、前記作業手順書の作業項目を含むシナリオまたは前記作業手順書の作業項目と該作業項目を実施する時間要素とを組み合わせたシナリオを、該シナリオに基づいて作業を実施するクライアントとサーバを備えたサービス提供者側の運用自動化支援装置に登録するステップと、前記シナリオの作業項目を実施するステップまたは前記シナリオを実施する時間要素に従って前記作業項目の作業を実施するステップと、前記作業項目を、複数の関係部署または複数の関係作業者毎の作業シナリオ・レーンに展開するステップと、該複数の作業シナリオ・レーンに展開した各作業項目の繋がりをサービスシナリオとして、当該作業シナリオ・レーン間の相互インタラクションにて構成するステップと、当該サービスシナリオを構成する各作業項目に前記時間要素を組み込むステップと、前記時間要素を受け、各作業項目の進捗状態を確認するステップと、前記運用自動化支援装置により前記作業を実施したとき、その都度必要に応じて、その作業実施に伴う実行結果の実績情報を、データベースに登録するステップと、前記データベースの実績情報を、前記シナリオに対応付けして前記クライアントにて可視化可能に表示するステップを設けた運用自動化支援システムにおけるサービスシナリオの遂行統制方法である。
【００２３】
また、本発明は、例えば、運用自動化支援システムにおけるサービスシナリオの遂行統制方法において、作業手順書の作業項目を含むシナリオを作成するステップまたは作業手順書の作業項目の作業と該作業の実施に関連する時間要素である絶対時刻又は相対時刻とを含むシナリオを作成するステップと、前記シナリオの作業項目の作業を実施するステップまたは前記シナリオの前記時間要素の時刻が到来したとき、該時刻に基づいて前記作業を実施するステップと、前記作業実施ステップの状況又は完了をサービス提供者側に通知するステップと、前記シナリオを作成するステップは、前記作業項目を、複数の関係部署または複数の関係作業者毎の作業シナリオ・レーンに展開するステップと、該複数の作業シナリオ・レーンに展開した各作業項目の繋がりをサービスシナリオとして、当該作業シナリオ・レーン間の相互インタラクションにて構成するステップと、当該サービスシナリオを構成する各作業項目に前記時間要素を組み込むステップと、前記時間要素を受け、各作業項目の進捗状態を確認するステップを含み、前記通知するステップは、前記作業項目の運用状況を前記運用関係者に通知する際に、前記各作業項目毎に組み込まれた前記時間要素を通知するステップであり、更に、前記運用自動化支援装置により前記作業を実施したとき、その都度必要に応じて、その作業実施に伴う実行結果の実績情報をデータベースに登録するステップと、前記データベースの実績情報を、前記シナリオに対応付けして前記クライアントにて可視化可能に表示するステップを含む運用自動化支援システムにおけるサービスシナリオの遂行統制方法である。
【発明の効果】
【００２４】
本発明によれば、従来の課題を是正することができ、運用現場（作業者）の作業を滞りなく実行させることが可能となり、運用現場の作業品質向上が図れ、作業工数の削減などがより図れる広義サービスの品質向上を達成することができる。
【００２５】
また、従来属人的だった運用現場の作業（作業シナリオ）の遂行の確実性を保証するとともに、複数の関係者（部署あるいは作業者）での業務遂行が可能であり、関係者間での相互コミュニケーションの促進が図れ、関係者の作業ミスを防ぐことが可能であり、また関係者による作業の進捗がリアルタイムに確認（情報共有による見える化）でき、作業の遅延などの業務改善が容易に行うことができる。
【００２６】
また更に、本発明によれば、サービスシナリオの一連の作業項目を実行し、遂行していく各段階（ステップ）において、サービスシナリオ（シナリオの情報）と、そのシナリオの各作業項目に対応して、作業結果（作業項目の作業遂行実績情報）のエビデンスを対応付け（紐付け）することにより、それらを、相互関係を参照しながら作業を遂行していくことが可能となり、当該サービスの作業効率や作業品質を高めることができる。
またサービスの初回実行のみならず、再実行においても、既に実行された先の実績にかかる情報を参照し利用することができ、より効率化が期待できる効果を奏する。
【図面の簡単な説明】
【００２７】
【図１】本発明の運用の自動化支援環境の全体概要を示す図である。
【図２】シナリオ・オブジェクト群とオペレーションズ・コーディネータとアクション・ナビとの関係を示す構成要素イメージ図である。
【図３】シナリオ作成・編集画面イメージレイアウトの一例を示す図である。
【図４】オペレーションズ・コーディネータのイメージレイアウトの一例を示す図である。
【図５】サービス運用基盤ポータルのポータル画面の一例を示す図である。
【図６】オペレーションズ・コーディネータのシナリオ実行画面の一例を示す図である。
【図７】アクション・ナビのアクション・シーケンス実行画面の一例を示す図である。
【図８】本発明の一実施例を示す運用自動化支援システムの構成を示す図である。
【図９】運用自動化支援システムを構成するＯＣサーバを含む運用自動化支援装置の機能構成図である。
【図１０】ＯＣサーバを含む運用自動化支援装置の運用準備処理を示すフロー図である。
【図１１】ＯＣサーバを含む運用自動化支援装置の運用実行処理を示すフロー図である。
【図１２】運用自動化支援装置とサービス提供者ＯＣとサービス対象者（サービス対象者端末）間のシーケンスを示す図である。
【図１３】運用自動化支援装置の作業項目と該作業項目の実施時期を示す時間要素（時刻）との関係及びサービス提供形態の一例を示す図である。
【図１４】サービス手順書のシナリオパターン例を示す図である。
【図１５】ＯＣサーバを含む運用自動化支援装置におけるサービスシナリオの遂行統制方式の運用準備処理を示すフロー図である。
【図１６】本発明の運用自動化支援装置とサービス提供者ＯＣとサービス対象者（サービス対象者端末）間のシーケンスを示す図である。
【図１７】運用体制と作業内容の環境設定を説明するための図であって、複数の作業シナリオ・レーンへのシナリオの展開例を示す図である。
【図１８】シナリオオーサによるシナリオ作成（シナリオマスタ新規作成）時における複数の担当者への作業登録の例をシナリオオーサのＯＣクライアントの表示部に示す図である。
【図１９】オペレーションズ・コーディネータのイメージレイアウトの一例を示す図である。
【図２０】運用管理者によるスケジュール登録時におけるシナリオデータ担当割当の様子を運用管理者のＯＣクライアントの表示部の表示画面の一例を示す図である。
【図２１】運用管理者における作業スケジュールの当日の作業確認（作業一覧）を運用管理者のＯＣクライアントの表示部の表示画面の一例を示す図である。
【図２２】運用管理者及び担当者における作業スケジュールの当日の担当者の作業確認（作業詳細一覧）を管理者及び作業者のＯＣクライアントの表示部の表示画面の一例を示す図である。
【図２３】運用管理者のＯＣクライアントにより実行する画面である。
【図２４】担当者のＯＣクライアントによりシナリオデータを実行する画面である。
【図２５】アクション・シーケンスデータ実行画面である。
【図２６】運用管理者のＯＣクライアントにより作業の実行結果（作業一覧）を確認する画面である。
【図２７】作業の実行結果（作業詳細一覧）を確認する画面である。
【図２８】ＯＣサーバ（含ＯＣソフトウェア／運用実行処理用プログラム）とＯＣクライアントとの接続関係及びＯＣクライアントによりシナリオの遂行（実施／実行）に伴う作業実績情報の、ＯＣナリッジＤＢ／（ＳＫＭＳ）への登録の様子を示す概略図である。
【図２９】ＯＣ利用の流れ、つまり関係者毎の作業フローを示す図である。
【図３０】ＯＣナリッジＤＢに登録されたシナリオの進捗状況を示す図である。
【図３１】ＯＣナリッジＤＢに登録されたシナリオ情報を含むシナリオ群と作業遂行の実績情報を含む遂行エビデンス群との対応関係の一例を示した図である。
【図３２】作業遂行の実績情報の例を示す図である。
【図３３】シナリオを実行する前のＯＣクライアント２１のシナリオデータ実行画面及びその一部であるＡＮ展開をドリルダウンしたときの詳細な表示内容を示すアクション・シーケンスデータ実行画面の一例を示す図である。
【図３４】シナリオを実行した後のＯＣクライアント２１のシナリオデータ実行画面及びその一部であるＡＮ展開をドリルダウンしたときの詳細な表示内容を示すアクション・シーケンスデータ実行画面の一例を示す図である。
【図３５】ＯＣサーバとＯＣクライアントからなるシステム構成・仕様／ハード及びソフト構成の一例を示す図である。
【発明を実施するための形態】
【００２８】
本出願人は、前述した課題に対し、先にＩＴ運用システムにおいて、運用自動化支援機能を持たせた運用自動化支援装置を実現し、運用手順（作業手順）を自動化し、その運用状況を可視化可能に構成したシステム、方法などを提案している。
【００２９】
すなわち、予め定義・予定された作業手順書をコンピュータ等、所謂情報処理システムに取り込み、一連の作業を構成する各作業（作業項目）の作業ステップと作業開始時間要素とを組み合わせ、各作業にかかるタイミングが生じた際に、システム側から作業員に働きかけて当該作業の開始を通知し、作業運用を遂行する運用自動化支援システム、方法などである。
【００３０】
また、複数の作業者や部署からなるチームにて提供されるサービスについて、かかるタイミングが生じた際に、その関係者あるいは関係部署（以下チーム員）の作業チームに対して、当該作業の開始指示や遅延等の進捗状態が判る通知を行うなど、所謂作業チームに対する統制機能について実現する運用自動化支援システム、方法などである。
これらのシステム、方法の詳細は後述する。
【００３１】
そして、係る本システムなどによれば、運用現場の作業品質の向上、作業工数の低減等が図れる効果が期待できる。
【００３２】
一方、運用自動化支援システムにより作業を遂行する場合、新たな課題として、例えば現場にて一連のサービスシナリオに基づき作業を実施した場合、その実施に伴う実行結果を次の作業遂行に活かしたいとの要望があった。
この要望は、運用手順（作業手順）を自動化する運用自動化システムの実用化段階において、はじめて認識できた新しい課題である。
【００３３】
例えば、サービス提供の各局面においては、次に行なうべき作業の内容が先の作業の結果を受けて変わるようなシナリオがある。
このような場合、例えば作業の実行結果に応じて次の作業の内容を適応させることが望まれる。この要望を実現するためには、シナリオとともに遂行エビデンスについてもチーム員（関係者）間での情報共有が充分になされていなければならない。
【００３４】
しかし、従来技術には、このような課題の認識はなく、また、先に提案した運用自動化システムにおいても、この新しい課題に対する配慮は特になされていなかった。
【００３５】
運用自動化支援システムにあっては、作業の手順、つまり作業シナリオは相互に理解されていても、そのシナリオに基づき、該シナリオの各作業項目を遂行した実行結果については、かかるシナリオとの有機的な連携性（例えばシナリオの進捗段階に応じて）を保ちながら情報共有等を実現することは、極めて重要な課題である。
本発明は、係る課題をも是正するものであり、以下、本発明の実施例について説明する。
【００３６】
本発明は、運用自動化支援機能を有する運用自動化支援システムにおいて、運用手順（作業手順）を自動化し、その運用状況を可視化可能に構成し、かつ運用手順を自動化するに際して、一つまたは複数のシナリオ・レーン（作業レーン）、つまりサービス提供にかかる関係部署あるいは作業者毎に作業レーンを設け、それら相互に接続したサービスを構築し、各作業単位に時間管理を行い、その各作業単位の進捗状況に応じて予め定義・予定した手段により関係部署あるいは担当者に通知し得る仕組み構成とし、かつ作業を実施した際には、例えば、その都度必要に応じて実施結果（作業情報）を実行エビデンスとしてデータベースに登録する構成とし、作業を実施する際に既に実施済の作業がある場合には、ノウハウ等を参照することを可能とした運用自動化支援システム、方法などである。
【００３７】
更に具体的には、本発明は、作業手順書の作業項目の作業を実施し、その運用状況を作業者側に通知する運用支援システムにおいて、前記作業手順書の作業項目を含むシナリオまたは前記作業手順書の作業項目と該作業項目の実施時間要素とを組み合わせたシナリオを、該シナリオに基づいて作業を実施するクライアントとサーバを備えたサービス提供者側の運用自動化支援装置に登録し、前記シナリオの作業項目の作業を実施するまたは前記シナリオの実施時間要素に従って前記作業項目の作業を実施する運用自動化支援システムであって、前記運用自動化支援装置により前記作業を実施したとき、その作業実施に伴う実行結果である実績情報を実行エビデンスとして登録するデータベースと、前記データベースの実績情報を、前記シナリオに対応付けして前記クライアントにて可視化可能とする手段と、を設けた運用自動化支援システムである。
【００３８】
本発明において、複数の作業項目とその実施時期（時間要素）とを組み合わせたシナリオを実行する場合には、ＯＣサーバは、シナリオ確立の段階においては、関係者（チーム員）毎にサービス提供上での作業レーンを設けて、サービスシナリオをそれら作業レーン間の相互インタラクションにて構成する。とともに、サービスシナリオを構成する各作業項目の作業を実行する各ステップに時間要素を組み込み、それに対する進捗状態がステップ毎に判るようにする。
【００３９】
作業項目と実施時間要素とを組合せたシナリオを、コンピュータ等を含む情報システムのＯＣサーバに登録し、本システム（ＯＣソフトウェア）からのナビゲーションに応じて作業を実施する。
【００４０】
本システムは、その進捗状態に応じて予め定義したパターンに従って動作し、関係者（チーム員）にＯＣクライアントを介して当該サービスの実行・遂行にかかる各種の状態がどのような状態にあるか画面を通じて気付かせるようにする。
【００４１】
関係者である作業者は、作業を実施した際には、その都度必要に応じて、その作業実施に伴う実行結果の実績情報（実行時に気付いた留意事項などの注意喚起情報を含む作業遂行実績情報）を前記シナリオの情報に対応付けして登録する。
【００４２】
ＯＣクライアントに作業を実施する際に、既に実施済の作業がある場合には、その作業遂行実績情報をノウハウ等として参照することができる。
【実施例１】
【００４３】
以下、図１において、本発明に関する運用の自動化支援環境の全体概要の機能について説明する。図１は一人もしくは一部署だけでなされる作業で完結するサービス例を示すものである。
【００４４】
本システムは、サービス基盤として、例えばオペレーションズ・コーディネータＯＣ（Operations Coordinator）３、アクション・ナビＡＮ（Action Navi）４、ツール群５を含み、これらは、以下の運用自動化支援機能を備えている。
【００４５】
本環境では、運用にかかわる従来の「手順」をシナリオとアクション・シーケンスに落とし込み、予め定義したシナリオのストーリ上で各種ツールを標準的に組み合わせて、実作業の遂行を統一的に管理、展開するものである。
【００４６】
これを実現するために、例えば、次の３層構造が採られる。すなわち、トップ画面である「ポータル」から下記の管理機構（構成モジュール）へ展開する。
（１）オペレーションズ・コーディネータＯＣ：シナリオレベルの管理
（２）アクション・ナビＡＮ：ＯＣから展開されるアクション・シーケンスレベルの管理
（３）ツール：遠隔操作（ＯＡ）やアラートの発行等の各種収容と管理
更に、
（４）オペレーションズ・コーディネータＯＣの機能拡張：複数の作業レーンの設置及び作業の展開
【００４７】
ここで、オペレーションズ・コーディネータＯＣは、運用手順（業務フロー）を管理し、ナビゲーションする仕組みとなっている。また、後述する運用手順の進捗状況の表示や作業開始／完了期限等をＯＣ関係者（管理者や作業者等）に通知する機能を有している。運用手順はテンプレート化された部品（オブジェクトや矢印）を組み合わせて作成される。
【００４８】
オペレーションズ・コーディネータＯＣのオペレーションズ・コーディネーションは、運用現場における手順書とＩＴＩＬ（ＩＳＯ／ＩＥＣ２００００）ベースのマネジメントプロセスとをモデル化して統合するＩＴ運用環境である。また、作業やコマンド投入など実行手順の起動・確認・測定や制御等を自動化支援することにより、ＩＴ運用プロセスのオペレーション効率・オペレーション品質を大幅に改善させるソフトウェアプラットフォームである。
【００４９】
アクション・ナビＡＮはオペレーションズ・コーディネータＯＣと連携し、オペレーションズ・コーディネータＯＣでの詳細作業手順を管理／ナビゲーションする仕組みとなっている。そして、運用支援ツール群、共通部品群を使用し処理を実行する。処理の実行状況を記録、進捗管理にも利用される。
【００５０】
ツール群はオペレーションズ・コーディネータＯＣと連携して利用されるオペレーションズ・アシスタントＯＡ（Operation Assistant）とその他ツールを含んでいる。オペレーションズ・アシスタントＯＡは遠隔操作を支援するツールで、準備された処理を実行する。
【００５１】
また、オペレーションズ・コーディネータＯＣは、ＳＤＣ（Service Desk Controller）６や各ツール５と連携し、操作履歴情報をナリッジＤＢ（ＳＫＭＳ：Service Knowledge Management System)７に蓄積するために利用される。また、コマンドラインＩ／Ｆを追加し、コマンド実行部品としても利用される。その他のツールには、メール送信ツールやアラーム通報を行う通信手段や各種のデータ分析ツール、音声読み出しツール等が含まれている。
【００５２】
運用自動化支援システムには、シナリオ作成・編集機能１やサービス運用基盤ポータル２も実装されている。
【００５３】
ここで、シナリオ作成・編集機能とは、運用手順（業務フロー）や詳細作業手順を、後述するオペレーションズ・コーディネータＯＣやアクション・ナビＡＮ上で動作するシナリオとして作成・編集する機能である。
【００５４】
サービス運用基盤ポータルは作業予定や作業状況を管理する機能を有している。また、作業予定をカレンダーイメージでポータル画面（トップ画面）に表示する機能や、作業予定の詳細情報をＳＤＣ等所謂サービスデスクツールと連携する機能を含んでいる。予定表には、例えば担当者、作業日時、シナリオ等の予定が登録される。
【００５５】
ＳＤＣ６、ＳＫＭＳ７、共通基盤８は運用自動化支援システムと連携している。ＳＤＣはオペレーションズ・コーディネータＯＣ、各ツールのオペレーションズ・アシスタントＯＡと連携し、運用／操作履歴をインデント情報と紐付け、情報蓄積を図る。
【００５６】
ナリッジＤＢを構成するＳＫＭＳは運用手順やノウハウを蓄積するものである。その運用手順やノウハウはＯＣ関係者により共有される。
【００５７】
共通基盤は、ユーザ権限により使用できる機能を制御する機能、また作業開始時間要素（時刻）等を管理し、設定時刻、各種通報機能を起動する機能を有している。これらの機能の詳細は省略する。
【００５８】
しかし、後述する本発明の運用自動化支援システム／装置についての理解を補助するため、図２〜図４を参照して、前記各機能の構成要素について簡単に説明する。
【００５９】
シナリオ作成・編集には、図２に示す如く、シナリオ・オブジェクト群５１が必要である。シナリオ・オブジェクト群は、例えば部品（開始、終了、分岐、繰り返し、コメント、承認、メール送信、ネストや、ＡＮでの実施、参照、確認）等のシナリオ・オブジェクトから構成される。
ここで、シナリオとは、フローで表現される運用作業手順であり、作業の実施や承認、分岐、繰り返しなどを矢印でつなぎ合わせたものを意味する（図２、図４等参照）。
【００６０】
シナリオは、オペレーションズ・コーディネータＯＣにて前記シナリオ・オブジェクトを組み合わせて作成する。例えば図３に示す如く、アイコン群５１から必要なアイコン、つまりシナリオ・オブジェクトである部品をドラッグ＆ドロップし、これらを組み合わせてシナリオ・フローを作成する。
このドラッグ＆ドロップはＯＣ関係者（管理者や作業者あるいはシナリオオーサ）によりなされる。
【００６１】
シナリオ・オブジェクトとは、シナリオの構成要素のことである。図３において、このシナリオのシナリオ・オブジェクト５１をクリックすると、アクション・ナビＡＮが起動し、図２に示すようなアクションを含むアクション・シーケンス５３が画面表示される。
アクションとは、アクション・ナビＡＮに記述されているそれぞれの行５４を指し、主に詳細作業手順が記述されたものである。アクション・シーケンスとは、実施する作業手順に記述されたアクションの集合体である。
【実施例２】
【００６２】
前記実施例１では、サービスシナリオは、一つの作業部署あるいは一人の作業者により実行することを前提とした説明となっているが、本実施例では、複数の作業シナリオ・レーン（以下、作業レーンと称する）を設けて、当該サービスシナリオを実現する一連の作業項目あるいはタスクの繋がり（以下、サービスシナリオと称する）をそれぞれ作業レーン間の相互インタラクションにて構成する。詳細は後述する。
【００６３】
また、シナリオ作成・編集の機能要件としては、例えば画面構成、ＧＵＩ（Graphical User Interface）、設定項目、部品化、承認、印刷、検索等を可能とする機能要件が含まれる。前記画面構成には、例えば一連のオペレーションをシナリオとし、フローチャート風に表示する機能が含まれる。ＧＵＩには、シナリオ・オブジェクトをドラッグ＆ドロップすることで簡単にシナリオを作成、変更する機能が含まれる。
前記設定項目には、シナリオ・オブジェクトに作業開始予定時刻、作業完了期限を設定可能とする機能が含まれる。前記部品化には、作成済みアクション・シーケンスをシナリオ・オブジェクトとすることを可能とする機能が含まれる。
これらについては本発明に直接関係しないので、これ以上の詳細説明は省略する。
【００６４】
ポータルの機能要件としては、例えば作業状況管理、検索、緊急連絡・お知らせ、Ｉ／Ｆ等の機能要件が含まれている。前記作業状況管理には、案件とその予定（担当者、作業日時）一覧、リアルタイムで実行状況等を表示する機能要件が含まれる。トップ画面であるポータル画面では、主に作業予定の一覧表示と、各作業シナリオの呼び出し制御を行う。
【００６５】
オペレーションズ・コーディネータＯＣの機能要件としては、画面構成、実行、フロー制御、ＧＵＩ、Ｉ／Ｆ（アクション・ナビＡＮやツール群等を呼び出す）等の機能要件が含まれている。
前記実行には、前記シナリオに従った運用を支援（シナリオで設定された順序でシナリオ・オブジェクトを制御）する機能要件が含まれる。
【００６６】
図４はオペレーションズ・コーディネータＯＣのイメージレイアウトを示す図である。同図において、シナリオ（アカウント登録）を前述したようにフローチャート風（シナリオ・フロー６１）に表現し、そのシナリオ・オブジェクトの進捗状況（未実施、作業中、完了等）が分かるように表示（可視化）する。
これにより、運用上の操作ミスを防止することが可能となる。表示の仕方としては、例えばシナリオ・オブジェクトの色を変えたり、運用状況を説明する文字を表記すると良い。
また、３次元表記でも良い。要するに、ＯＣクライアントの作業者が容易に気付くような表示する手段が望ましい。場合によっては、音声による報知を含めても良い。以下に説明する表示の仕方も同様である。
【００６７】
ここで、シナリオ・オブジェクト（例えば、図４のユーザＩＤ登録）をクリックすると、前述したアクション・ナビＡＮが起動する。
これにより、その進捗状況（アクション・シーケンス）の詳細を画面表示（図２参照）する。
【００６８】
アクション・ナビＡＮの機能要件としては、画面構成、実行、フロー制御、ＧＵＩ、Ｉ／Ｆ等の機能要件が含まれている。
前記実行には、アクション・シーケンスに従った詳細作業手順の実行を支援する機能要件が含まれる。
【００６９】
次に、図５〜図７を参照して、ポータル画面とシナリオ実行画面とアクション・シーケンス実行画面との関係について説明する。
【００７０】
図５はＯＣクライアントのポータル画面の一例を示す図、図６はシナリオ実行画面の一例を示す図、図７はアクション・シーケンス実行画面の一例を示す図である。
【００７１】
図５において、ＯＣクライアントのポータル画面７１には、作業一覧７２０とＯＣ案件７３０等の項目が表示される。
作業一覧７２０には、例えば作業ＩＤ７１１、作業内容７１２、作業責任者７１３、作業開始予定７１４、作業終了期限７１５、シナリオ７１７、実行画面７１８、ステータス７１９等の項目欄が表示され、これらの項目欄にそれぞれの情報が表示される。
作業一覧７３０には、例えば作業ＩＤ７３１、作業内容７３２、作業予定割当７３３、作業開始予定７３４、作業終了期限７３５、作業実施担当７３６、作業開始実績７３７、作業終了実績７３８、予定７３９、実行画面７１８、ステータス７１９等の項目欄が表示され、これらの項目欄にはそれぞれの情報が表示される。
【００７２】
なお、図５では、作業一覧７２０と作業一覧７３０とを同図上で表現しているが、これは、二層構成となっており、例えば作業一覧７２０の「ＯＣ案件：新規登録」の作業ＩＤ７１１や作業内容７１２等を、周知方法でクリックすることにより、作業一覧７３０の「ＯＣ案件：新規登録」に関する詳細情報の画面が表示されるようになっている。
【００７３】
ここで、ポータル画面７１の実行画面７１８の「起動」を操作、つまりポータルの起動ボタンを操作すると、ポータル画面７１の下層レイヤーのシナリオ実行画面（図６参照）が表示される。
図６に示すシナリオ実行画面５０には、前述した如く、複数のシナリオ・オブジェクトと矢印との組合せからなるシナリオ・フロー５２が表示される。この画面により、運用状況を確認することが可能となる。
【００７４】
図６のシナリオ実行画面５０において、その所望のシナリオ・オブジェクト（実施可部分）を周知方法によりダブルクリックすると、シナリオ実行画面の下層レイヤーのアクション・シーケンス実行画面（図７参照）を表示する。
【００７５】
アクション・シーケンス実行画面８１０には、例えば、図示する如く、作業名称８１１、作業内容詳細８１２、ステータス８１３、備考８１４、担当者８１５、実行時刻８１７、資料８１８等の項目欄が表示される。
この表示画面によりアクション・シーケンス実行状況を確認することができる。
【００７６】
図７のアクション・シーケンス実行画面８１０において、実作業実施に従って各アクションのステータス８１３を選択すると、図６のシナリオ実行画面に戻る。
ここで、アクション・ナビＡＮでのステータスを取得し、図６のシナリオ実行画面のフロー上に進捗を色と文言で表示することにより、より確実に運用状況を確認することが可能となる。
【００７７】
例えば、シナリオ・オブジェクトが完了した部分は、該シナリオ・オブジェクトのアイコンを、黒色の枠で囲むとともに該アイコンに対応する位置に「完了」と表示する。
実施中部分は緑色の枠で囲み、「実施中」と表示し、実施可能部分は黄色の枠で囲み、「実施可能」と表示し、遅延部分は赤色の枠で囲み、「遅延」と表示し、分岐により処理不要部分はグレーの枠で囲み、「分岐により処理不要」と表示し、未実施部分は枠無しとし、「未実施」と表示する。これらの表示により進捗状態を確認できる。
【００７８】
次に、本発明の本質的な部分となる、オペレーションズ・コーディネーション（ＯＣ）−自動化支援環境を構成するシステムの構成、動作について説明する。
【００７９】
図８は本発明の一適用例を示すシステム図であって、オペレーションズ・コーディネーション（ＯＣ）−自動化支援環境を構成するシステム図である。
【００８０】
同図において、１０はＯＣを活用して運用サービスを実現する、例えば作業者、作業管理者、作業手順書作成者(シナリオオーサ)、あるいはお客様等のＯＣ関係者である。
【００８１】
２０はＯＣ―自動化支援環境を構成する運用自動化支援装置を示し、該装置は作業手順書の作業を後述するシナリオに基づいて（シナリオ／フローにしたがって）実施するものである。
また、該装置はＯＣクライアント２１とＯＣサーバ２２とＳＫＭＳ（Service  Knowledge  Management  System）／ＤＢ（Data  Base）２３とこれらを結合するネットワーク２４、例えばＬＡＮやＷＡＮ等から構成されている。
【００８２】
図９において、ＯＣクライアント２１はＯＣ関係者により操作される情報処理装置であり、例えばキーボードなどの入力部２１１、処理部２１２、表示部（ビューアー）部２１３等を備えたパーソナルコンピュータから構成されている。
【００８３】
ＯＣサーバ２２は図１０、図１１に示す如く、運用準備・運用を実行するプログラムを処理する処理部２２０と、該処理部で作成されたシナリオ等を登録する登録部２２３を備えている。
【００８４】
処理部２２０は運用手順書（サービス手順書）の運用手順を準備するための運用準備部２２１と、該運用準備部で準備された運用を実行する運用実行部２２２を含んでいる。
【００８５】
運用準備部２２１は運用手順書の情報からシナリオを作成する機能や編集機能を有している。シナリオとは、前述したようにフローで表現される運用作業手順を意味する。
運用実行部２２２は運用状況をＯＣクライアント２１の表示部２１３に表示させる機能を有している。この表示機能は汎用技術で実現可能である。ＳＫＭＳ／ＤＢ２３には運用手順書、例えばサービス手順情報が登録されている。
【００８６】
運用自動化支援装置２０はＯＣサーバ２２、ＯＣクライアント２１、ＳＫＭＳ／ＤＢ２３と連携して、作業を実施するための後述するシナリオ（サービスシナリオ）を作成し、該シナリオとともに作業を実施するサービス提供者／ＯＣ関係者（例えば現場作業者）のマシン（ＯＣクライアント２１）に表示／登録する機能を有している。
【００８７】
また、シナリオは作業項目と該作業項目の作業実施時期（タイミング）を決める時間要素、例えば時刻との組合せ情報を含む。この時刻情報は運用準備処理において運用準備者（シナリオオーサ）により決められる。
【００８８】
シナリオは、ＯＣ関係者によって前記ＯＣクライアント２１を操作することにより作成されるものであるが、このシナリオ作成に際しては、従来ある紙ベースの作業手順書、あるいは先に登録されＳＫＭＳ／ＤＢ２３に格納されている手順を流用して作成される。
このシナリオ作成は、例えば、シナリオ作成のためのシナリオ作成／編集機能を有した後述する運用準備部にて実行される。実施例では、この運用準備部をＯＣサーバに設けているが、この場合には、複数のＯＣクライアントで共用化できる特長がある。
運用準備部はＯＣクライアントに設けても良いが、この場合には、ＯＣクライアント側にそれぞれ設ける必要があり、経済的に不利となる。したがって、望ましくはＯＣサーバ側に設けると良い。
【００８９】
運用自動化支援装置２０のＯＣサーバ２２には、例えばＳＫＭＳ／ＤＢ２３に登録された運用手順書（サービス手順書）に基づき作成された作業項目（ＡＡＡＡＡ、ＢＢＢＢＢ、・・・ＫＫＫＫＫ）と該作業項目の作業を実施する実施時間要素（例えば時刻ｔ１、ｔ２、・・・ｔｎ）とを組み合わせたシナリオ（サービスシナリオ）が登録される。
すなわち、ＳＫＭＳ／ＤＢ２３に登録された運用手順書（作業手順書）に基づき作成された作業項目（ＡＡＡＡＡ、ＢＢＢＢＢ、・・・ＫＫＫＫＫ）と該作業項目の作業を実施する実施時期を示す時間要素（時刻ｔ１、ｔ２・・・ｔn）とを組み合わせたシナリオ（サービスシナリオ）がＯＣサーバ２２の登録部２２３に登録される。
このシナリオは複数のシナリオによりシナリオ群２１１（図１２〜図１４参照）となる。
【００９０】
ＯＣ―自動化支援環境を構成する運用自動化支援装置２０のＯＣサーバ２２は前記シナリオに基づく作業項目の作業を実行する。
これは、例えば前述したアクション・ナビＡＮと連携して行うと良い。アクション・ナビＡＮは各作業のステータス管理、作業終了期限をアラート通知、繰返し操作・コマンド実行等の機能を備えている。
また、前述したアクション・ナビＡＮと連携することにより、運用状況の詳細を管理、表示（図５〜図７参照）することも可能である。
【００９１】
作業を実行すると、その運用状況（進捗状況）をサービス提供者ＯＣのＯＣクライアント２１に、例えば前述したツール群５のメール送信ツールや通報機能等と連携して通知する。
ここで、進捗情報（未実施、作業中、完了等）はＯＣクライアント２１の表示部２１３のシナリオ画面に多彩に色表現すると良い。
また、これにより、手順の可視化が容易となり、一目で状況を把握することが可能である。
【００９２】
また、前述した遠隔操作を支援するオペレーション・アシスタントＯＡ（ツール）と連携し、前述した処理や実行を処理すると良い。この場合、前述したＳＤＣやツールとの連携により、操作履歴情報等をＳＫＭＳに保存することが可能である。
【００９３】
また、前述した共通基盤との連携により、使用できる機能を制御したり、作業開始時刻等を管理し、設定時刻、各種通報機能を起動させることが可能である。
【００９４】
この通知を受けたサービス提供者はＯＣ環境にあるサービス対象（ＩＴ環境／非ＩＴ環境）に対してオペレーションを実行する。その結果として、サービス提供者（サービス提供現場）からサービス対象側への適切なオペレーションが可能となる。
【００９５】
次に、図１０〜図１２を参照して前述した運用自動化支援装置の動作、及び該支援装置とサービス提供者とサービス対象間のシーケンスについて説明する。
図１０は運用自動化支援装置の運用準備処理フロー、図１１は運用実行処理フロー、図１２は各装置間のシーケンスを示す図である。
【００９６】
運用準備部２２１は図１０に示す運用準備処理フローを含むプログラムを備えており、該プログラムに基づいて運用準備を実行する。
なお、本実施例では、運用準備部をＯＣサーバ側に設け、該運用準備部で運用状況をＯＣクライアントの表示部に表示する機能まで実行させているが、この部分は別途運用状況表示実行部を設け、該実行部にて運用表示機能を制御するようにしても良い。
【００９７】
すなわち、図１０において、ＯＣ活用者により運用準備をスタートすると（ステップＳ２２１１）、まず登録部２３の運用手順書を準備する（ステップＳ２２１２）。
【００９８】
次に運用手順書の作業ステップに分解する（ステップＳ２２１３）。ここで、作業ステップ（作業項目）に分解するとは、図１３、図１４に示す如く、作業項目（ＡＡＡＡＡ、ＢＢＢＢＢ、・・・ＫＫＫＫＫ）毎に分け、各作業項目を時間軸に沿って作業が順次できるようにすることを意味する。
【００９９】
次いで、分解した作業項目（ＡＡＡＡＡ、ＢＢＢＢＢ、・・・ＫＫＫＫＫ）毎に作業を開始する時間要素（時刻ｔ１、ｔ２、・・・ｔn）を対応付けし、作業と時間要素（時刻）の組合せからなるシナリオ（サービスシナリオ）を作成する（ステップＳ２２１４）。
ここで、作業ステップへの分解やサービスシナリオの作成は、サービス手順登録データベースであるＳＫＭＳ／ＤＢ３２と連携し、例えば作業単位に定義したアイコンベースにて行う。
【０１００】
つまり、前述したように作業単位に予め定義したアイコン（シナリオオブジェクト群）をドラッグ＆ドロップすることにより、プログラミングレスで一連の作業シナリオを作成する。
このとき、作業項目（ＡＡＡＡＡ、ＢＢＢＢＢ、・・・ＫＫＫＫＫ）毎に作業を開始する時間要素、例えば時刻（ｔ１、ｔ２、・・・ｔn）を対応付けする（作業と時刻とを組み合わせる）ことで適切な時刻に当該作業の実施を運用自動化支援装置２０に促すことが可能となる。
この時刻は絶対時刻あるいは相対時刻でも良い。前記実施例の時刻は絶対時刻であるが、該絶対時刻の代わりに前のステップ（例えば作業ステップ分解）からの経過時間等相対的な時刻、つまり相対時刻としても良い。
要するに、前記時刻をトリガーに前記作業ステップの運用が実行されるように構成してあれば良い。
【０１０１】
前記運用準備処理フローにおいて、図１５及び図１６に示す如く、ステップＳ２１１４の後５との間に、複数の関係部署あるいは複数の作業者で実行することを前提として、各関係部署あるいは各作業者との対応を明確化し、シナリオを作り込む（ステップＳ２２１７）。このステップはステップＳ２２１４のとき、ともに実行しても良い。詳細は後述する。
【０１０２】
最後に前記シナリオを登録部２２３に登録して運用を開始する準備に入る（ステップＳ２２１５）。
【０１０３】
運用実行部２２２は図１１に示す運用実行処理フローを含むプログラムを備えており、該プログラムに基づいて運用開始を実行する。
【０１０４】
すなわち、図１１において、運用がスタート（ステップＳ２２２１）し、作業の開始時刻が到来すると、例えば作業項目ＡＡＡＡＡの作業に対応付けされた時刻ｔ１が到来すると、アラームを上げる（ステップＳ２２２２）。
このとき、例えば、前述したルールのアラーム通報を行う通信手段によりアラームがＯＣクライアント側に通知され、ＯＣクライアントの表示部の画面に表記される。
このアラームに基づいて運用自動化支援装置２０は現場のサービス提供者と連携して当該作業項目ＡＡＡＡＡの作業を実施する（ステップＳ２２２３）。このとき、ＯＣクライアントの作業者により実行され、登録申請されたシナリオの作業結果である作業実績情報をエビデンスとしてナリッジＤＢ２３に登録する（図１２参照）。この作業実績情報の登録については後述する。
ここで、各作業ステップの実行に応じて、サービス提供者ＯＣ（ＯＣクライアント２１）の表示部２１３のＯＣシナリオ画面の背景色やステータス表示を前述したように反映させる。
これによって、サービス提供者（作業者）による進捗状況の把握を容易にすることが可能である。
【０１０５】
これによって、サービス提供者（作業者）による作業ステップの忘れや一部作業ステップのバイパス、あるいはチェック漏れ等を無くすことが可能である。
【０１０６】
この作業ステップが完了すると、作業完了ステップを表記する。この表記はＯＣ関係者（ＯＣクライアント２１）に対して行い（ステップＳ２２２４）、一つの作業を終了させる（ステップＳ２２２５）。
ここで、作業ステップ完了表記は色を変えるなどしてサービス提供者ＯＣに見やすく可視化すると良い。
【０１０７】
次に作業項目ＢＢＢＢＢの作業があれば、その開始時刻ｔ２が到来するまで待機する（ステップＳ２２２６）。以下、同様な処理ステップを繰り返す。
【０１０８】
図１４はＯＣ関係者であるサービス提供現場の作業者（ＯＣクライアント）とＯＣ−運用自動化支援装置（ＯＣサーバ）のオペレーションコーディネータとの連携によるシナリオ例（新規アカウント登録）とシナリオパターンの一具体例を示す図である。
【０１０９】
同図において、プログラミングレスでシナリオを作成し、該シナリオに基づくシナリオ・フローでもってアカウント登録作業、アカウント登録作業完了報告メール送信（作業遅延のアラーム通知）、アカウント登録承認を行う。このシナリオを作成する方法として前述した作業単位に定義したアイコンベースにて行うと良い。
これにより、プログラミングレスで一連の作業シナリオを作成することが可能である。
【０１１０】
シナリオパターン２１１は以下の情報を有している。すなわち、順序を示す情報２１１ａ、作業内容を示す情報２１１ｂ、担当者情報２１１ｃ、実施時期を示す情報２１１ｄである。
担当者情報とは当該作業を実施する作業担当者を示し、実施時期情報とは図３で示した作業項目（ＡＡＡＡＡ、ＢＢＢＢＢ、・・・ＫＫＫＫＫ）に対応した時刻情報（ｔ１、ｔ２、・・・ｔn）である。作業内容は、例えば申請受付、○○より承認取得、○○部署に承認依頼、○○部署より承認受領、受付に連絡、申請書に連絡等々であって、これらに限られるものではない。
【０１１１】
以前述べた実施例によれば、複数案件に対応中の場合であっても、誤操作、お客様への連絡漏れ、次の作業への開始遅れ等が解消可能となる。
また、当日のみの連絡先変更など、イレギュラーな運用を間違いなく実施する手順が複雑になっても対応可能である。更に詳述すれば、以下のようなことが期待できる。
【０１１２】
（１）誤操作・連絡漏れ・確認漏れ・誤送信・誤添付などの作業ミスの防止
（２）操作実績・成功事例等の参照・有効ツールの標準的活用による作業品質の向上
（３）グルーピングやスケジュール設定による、繰り返し作業や単純作業の負担軽減
（４）事前定義アクションの展開をベースにした、属人的対応の極力排除
（５）作業手順書のペーバーレス化・テンプレート化による作業手順の自動的カスタマイズ
（６）標準テンプレート・アイコンのドラッグ＆ドロップによりシナリオ作成の容易化
（７）アクション起動アラートの自動化による、関係者間の調整、作業矛盾発生の防止
（８）オペレーション進捗の可視化による状況把握の容易化
（９）ナリッジＤＢと検索エンジンとの組合せＳＫＭＳによる成功事例・履歴の有効活用
(１０)従来サービス基盤「ＩＴ運用監視ＭＳ／ＥＳ（Enterprise Support）：ＳＤＣ等」連携による既存サービスの品質向上・作業工数削減
【０１１３】
次に、前記実施例に前述したシナリオ作り込み処理を追加した実施例について説明する。すなわち、本実施例は運用手順をシステム上にて支援するためのソフトウェアを備えたオペレーションズ・コーディネータＯＣを使用し、オペレーションプロセスの効率、品質を向上させるものであるが、更に以下の機能、つまりシナリオ作成に際して、複数の部署あるいは複数の作業者に割り振る機能を設けることにより、より効率化が図れる。
【０１１４】
まず、オペレーションズ・コーディネータＯＣ利用の流れについて、繰り返し概略説明すれば、シナリオオーサは、ＯＣクライアントにより運用手順をもとにシナリオ（業務フロー）を作成し、ＯＣサーバに登録し、運用管理者の承認を得る。
【０１１５】
運用管理者は、ＯＣクライアントによりＯＣサーバに登録されたシナリオの承認（使用許可）を得るとともに、作業登録（作業予定を登録）、使用するシナリオの選択及び作業担当者の割当てを行う。また、担当者への作業開始指示をする。
【０１１６】
ＯＣサーバは作業担当者に対して作業予定の通知を行い、作業者はＯＣクライアントにより、シナリオの作業予定、つまり自分の作業予定の内容を確認し、該シナリオに沿って作業を開始、実行し、また終了時にはその旨をＯＣサーバに登録する。
【０１１７】
これにより、運用管理者は作業者の作業進捗を管理することにより、作業実行進捗を管理することができる。また一般ユーザはＯＣクライアントにより作業状況の確認が可能となる。
【０１１８】
ここで、作業担当者あるいは作業部署への作業割当てを行うに際して、複数の作業者や部署からなるチームにて提供できれば、よりよいサービス向上を図ることができる。本発明は、係る課題に鑑みなされたものである。以下、その詳細について説明する。
【０１１９】
まず、そのための環境設定について説明する。申請者（ユーザ）からの新規登録依頼を受付窓口（申請受付け業務担当者Ａ）−情報技術部（ＩＤ登録サービス作業シナリオ運用担当者Ｂ）−特定の作業チーム（ＡＤ登録作業担当者Ｃ）の手順により、一つのサービスシナリオを実行する例を想定する。
この場合、各担当者の上位には、運用管理者（ＯＣクライアント）が位置する。
【０１２０】
運用管理者はＯＣクライアントにより、例えば複数の担当者Ａ（受付窓口）、担当者Ｂ（情報技術部）、担当者Ｃ（作業チーム）毎にシナリオ（業務フロー）を割り当てる。
【０１２１】
図１７は、運用体制と作業内容（環境設定）を模式的に示し、運用管理者と複数の担当者Ａ、Ｂ、Ｃとの関係及び各担当者への作業の割り当て状況を示す図である。
例えば、担当者ＡのＯＣクライアント１７１２には、申請者となるユーザのＯＣクライアント１７１１からの新規登録依頼を受け付け、担当者ＢのＯＣクライアント１７１２へ申請及び新規登録完了をユーザのＯＣクライアント１７１１に通知する業務（受付窓口、登録完了連絡など）の業務を割り当てる。担当者ＢのＯＣクライアント１７１３には、担当者ＡのＯＣクライアント１７１１からの申請を受け、登録先セキュリティグループ名称決定し、担当者ＣのＯＣクライアント１７１４へ作業実施依頼及び担当者ＡのＯＣクライアント１７１１に対して接続確認の業務を割り当てる。
担当者ＣのＯＣクライアント１７１４には、担当者ＢのＯＣクライアント１７１３からの作業実施依頼を受けてユーザＩＤの新規登録、作業実施及び作業完了通知を担当者ＢのＯＣクライアント１７１３に通知する業務を割り当てる。
これらの割当業務は、ユーザ、管理者及び利用者Ａ、Ｂ、Ｃの各ＯＣクライアント１７１２〜１７１４を介して実施される。
【０１２２】
次に、図１８を参照してシナリオオーサによるシナリオ作成について説明する。
シナリオ作成は、基本的には、前述した方法（図３〜図５参照）により、ＯＣオブジェクト・アイコンのドラッグ及びドロップでサービスシナリオを組み立てて作成されるが、本発明では複数の作業部署あるいは複数の作業者毎の作業シナリオ・レーン（作業レーン）を設け、各作業レーンに各作業項目の作業を割り当てる。それらの作業割り当てに際しては、当該サービスを実現する一連の作業項目（あるいはタスク）の繋がり（サービスシナリオ）を作業レーン間の相互インタラクション（interaction）にて構成する。
サービスを実現する一連の作業項目（あるいはタスク）の繋がり（サービスシナリオ）を作業レーン間の相互インタラクションにて構成することは、周知技術により実現可能であるので、その詳細説明は省略する。
【０１２３】
また、サービスシナリオを構成する各作業項目のステップ毎に時間要素を組み込み、その進捗状態がステップ毎に判るようにするとともに、その進捗状態に応じて予め定義したパターンに従って表示・動作させる。
【０１２４】
進捗状態とは、例えば次に実施すべき作業であることや、現在実施中、実施完了、遅延、バイパス等の作業進捗度合いを示すものである。
各ステップの進捗状態については、チーム員の気付きをより効果的に実現するため、進捗状態の表示に際しては、それぞれに赤や緑等の色を割り当てる。あるいはブリンク等にて視覚的に判りやすくする。またメールや電話、テキスト読出しなど各種音声発生装置等と連携すると良い。
【０１２５】
以下、その一具体例について説明する。図１７は、シナリオの複数の部署あるいは複数の担当者への割当ての一形態例を示す図である。
同図において、本例では、シナリオ・オブジェクト１８１２のライン１８１２２をもって３つの部署（オンサイト肥後橋14F部署、Ａ社（情技部）、Ａ社（運用部））に区別し、これらの部署には、目的に合わせてシナリオ・オブジェクトを割当てたものである。
各部署に割当てたシナリオの繋ぎはシナリオ・オブジェクトの矢印１８１２１をもって行う。
【０１２６】
図１８及び図１９は、本発明におけるシナリオオーサによるシナリオ作成、複数の担当者への作業登録の例を示す図である。
シナリオオーサのＯＣクライアントのシナリオマスタ新規作成の画面１８１１には、シナリオを作成するための各種のシナリオ・オブジェクト１８１２が用意されている。
例えば、図示の如く、選択、矢印、ライン、テキスト、開始、終了、条件分岐、ＡＮ展開（実施）、繰り返し（開始）、繰り返し（終了）、平行作業（開始）、平行作業（終了）、承認、ＡＮ展開（確認）、ＡＮ展開（連絡）、ＡＮ展開（連絡）などである。矢印は、相互インタラクション構成に基づき各作業者における作業項目の繋がり及び処理手順を示している。
【０１２７】
そして、これらのシナリオ・オブジェクト１８１２は、ＯＣクライアント２１上でシナリオオーサにより選択される。
この選択は、図３〜図５で説明したようにシナリオ・オブジェクトのアイコンを目的に合わせてドラッグ及びドロップにより実行される。
これら選択されたシナリオ・オブジェクトの繋がりにより一つのシナリオが作成される。
本例では、まず３つのテキストエリア（テキストエリア１、テキストエリア２、テキストエリア３）に分け、テキストエリア１は、例えば担当者Ａ、テキストエリア２は、担当者Ｂ、テキストエリア３は、担当者Ｃに割り振る。シナリオオーサは、ＯＣクライアント２１上でナリオ・オブジェクト１８１２の中から所望のアイコンを選択し、該選択アイコンを、登録すべき各テキストエリアにドラッグ及びドロップし、一連のサービスシナリオを作成し、また各エリアのアイコンで示す作業を担当する各作業者への作業登録を行う。
この作業登録は、コミュニケーションズ・コーディネータＯＣのＯＣサーバ２２側に登録される。
【０１２８】
このとき、シナリオ・オブジェクト（シナリオデータ）担当者割当時にスケジュール登録する。
例えば図２０に示す如く、開始を示すアイコン（データ）１８１２１の中に担当者割り当て情報２０１１として、シナリオ・オブジェクト名開始情報の「担当者：マネージャ」２０１１１、作業概要情報「開始予定日時、終了期限日時」２０１１２や担当割当時コメント情報２０１１３などを設定しておくことによりなされる。
【０１２９】
このスケジュール登録は、図２１に示す運用管理者のＯＣクライアントのディスプレイ（表示画面）により確認する。
すなわち、この表示画面により、当日の作業確認が可能な作業スケジュールの確認（作業一覧）を行うことができる。
【０１３０】
作業スケジュールの作業一覧としては、図示の如く、例えば作業ＩＤ２１１１、作業名２１１２、作業責任者２１１３、作業開始予定２１１４、作業終了期限２１１５、ステータス２１１６などがあり、これらに関する情報を図示の如く表示することにより、作業ＩＤ（OCWI0000000271）、作業名（OCV１への適用）、作業責任者（マネージャ）作業開始予定（2010/10/22  13：00）、作業終了期限（2010/10/22  13：30）、ステータス（未実行）などの各内容を確認することができる。
【０１３１】
また、図２２に示す運用管理者及び作業担当者のＯＣクライアントの表示部（表示画面）で、当日の担当者の作業確認が可能な作業スケジュールの確認（作業詳細一覧）を行うことができる。
【０１３２】
作業スケジュールの作業詳細一覧としては、図示の如く、例えば作業ＩＤ、シナリオ・オブジェクト名２２１２、担当者、開始予定、終了期限、開始実績２２１７、開始終了２２１８、ステータスなどがある。
これらに関する情報を図示の如く表示することにより、作業ＩＤ（OCWI0000000271）、シナリオ・オブジェクト名（ＩＤ登録サービス作業シナリオ−新規登録他）、担当者（マネージャ、担当者A他）、開始日時（2010/10/22  13：00他）、開始実績、終了実績、ステータス（未実行）などの各内容を確認することができる。
【０１３３】
図２６は、作業スケジュール（作業一覧）を運用管理者のＯＣクライアントのディスプレイに示す表示画面の一例であり、運用管理者のＯＣクライアントにより作業の実行結果（作業一覧）を確認する画面である。
図２７は作業スケジュール（作業詳細一覧）を運用管理者及び作業者のＯＣクライアントの表示部に示す表示画面の一例であり、作業の実行結果（作業詳細一覧）を確認する画面である。
【０１３４】
図２６において、作業一覧として、作業ＩＤ、作業名、作業責任者、ユーザグループ、作業責任者未設定、作業開始予定日付、作業終了期限日付、ステータスがあり、これらに関する情報を図示の如く、表示することにより、作業ＩＤ（OCWI0000000271）、作業名（OCV1への適用例）、作業責任者（マネージャ）、作業開始予定（2010/10/22  13：00）、作業終了予定（2010/10/22  13：30）、ステータス（完了）の内容を確認することができる。
【０１３５】
図２７において、作業詳細一覧としては、選択、作業ＩＤ、シナリオ・オブジェクト名、担当者、開始予定、終了期限、開始実績、終了実績、ステータスなどである。これらに関する情報を図示の如く、表示することにより、同様に作業ＩＤ（OCWI0000000271）、シナリオ・オブジェクト名（開始）、担当者（マネージャ）、開始予定（2010/10/22  13：00）、終了期限（2010/10/22  13：30）、開始実績、終了実績、ステータス（完了）の内容を確認することができる。
本例では、シナリオ・オブジェクト名として、「開始」、「ＩＤ登録サービス作業シナリオ−新規登録依頼」、「ＩＤ登録サービス作業シナリオ−申請受付」、「ＩＤ登録サービス作業シナリオ−変更申請」、「ＩＤ登録サービス作業シナリオ−グループ名称決定」、「ＩＤ登録サービス作業シナリオ−作業実施依頼」とし、それらの担当者として「マネージャ」、「マネージャ」、「担当者Ａ」、「担当者Ａ」、「担当者Ｂ」、「担当者Ｃ」としている。
【０１３６】
これらの画面により、作業ＩＤ、作業名、作業責任者、作業開始予定、作業終了期限、ステータスや作業ＩＤ、シナリオ・オブジェクト名、担当者、開始予定、終了期限、開始実績、終了実績、ステータスの確認ができ、とりわけステータスにて「完了」なっていることを確認できる。
【０１３７】
図２３は、前述した作成シナリオを運用管理者のＯＣクライアントにより実行する画面であり、シナリオ・オブジェクト名が「開始」、担当者が「マネージャ」、「実行可」にあり、開始予定が「2010/10/22  13：00」、終了期限が「2010/10/22  13：30」である例を示している。
【０１３８】
同図において、オブジェクト１８１２１の「開始」を選択し、「反映」をクリックし、「設定」をクリックすることにより、開始する。このとき、開始を示すアイコンの枠やアイコンの色を、色分けすることにより、その状況を確認することが可能である。
例えば、黒枠の場合には、完了又はスキップを示し、橙枠の場合には、実行可能を示し、赤色は遅延、緑色は実行中、青色は中止などのように視覚的に表示する。
【０１３９】
図２４は、担当者のＯＣクライアントによりシナリオデータを実行する画面であり、シナリオ・オブジェクト名が「開始」、担当者が「マネージャ」のシナリオが「完了」した後の次のステップ、つまりシナリオ・オブジェクト名が「ＩＤ登録サービス作業シナリオ−申請受付」、担当者が「担当者Ａ」、「未実行」、開始予定が「2010/10/22  14：00」、終了期限が「2010/10/22  14：30」に移った状態を示すアクション・シーケンスデータ実行画面例を示している。
同図において、「ステータス」の「実行中」をセットし、「開始終了日時」を設定し、「設定」釦をクリックし、シナリオ・オブジェクト名を実行する。
【０１４０】
シナリオを完了した場合には、例えば図２５に示すアクション・シーケンスデータ実行画面において、「ステータス」を「完了」とし、「開始終了日時」をセットし、「設定」釦をクリックし、アクション・シーケンス名「ＩＤ登録サービス作業シナリオ−申請受付」のシナリオを完了とする。
作業の実行結果（作業一覧及び作業詳細一覧）は、運用管理者のＯＣクライアントにより、図２６及び図２７に示す画面において、ステータスの内容をもって確認することができる。のための画面である。
【０１４１】
以前述べたように、本発明は運用自動化支援装置２０を基本とし、該装置の処理（図１５、図１６のステップＳ２１１７）にて、関係部署の対応を明確化し、シナリオを作り込んだものである。
【０１４２】
すなわち、本発明では、該ステップＳ２１１７において、前述したように複数の作業部署あるいは複数の作業者毎の作業シナリオ・レーン（作業レーン）を設け、各作業レーンに各作業項目の作業を割り当てる。
それらの作業割り当てに際しては、前述したように当該サービスを実現する一連の作業項目（あるいはタスク）の繋がり（サービスシナリオ）を作業レーン間の相互インタラクションにて構成する。
【０１４３】
また、サービスシナリオを構成する各作業項目のステップ毎に時間要素を組み込み、その進捗状態がステップ毎に判るようにするとともに、その進捗状態に応じて予め定義したパターンに従って表示・動作させる。
進捗状態とは、例えば次に実施すべき作業であることや、現在実施中、実施完了、遅延、バイパス等の作業進捗度合いを示すものである。
【０１４４】
各ステップの進捗状態については、チーム員の気付きをより効果的に実現するため、進捗状態の表示に際しては、それぞれに赤や緑等の色を割り当てる。あるいはブリンク等にて視覚的に判りやすくする。またメールや電話、テキスト読出しなど各種音声発生装置等と連携すると良い。
【０１４５】
次に、前述した実施例１、２におけるシナリオ遂行時の作業実績情報の登録について図２８〜図３３を参照して説明する。
図２８は、ＯＣサーバ２２（含ＯＣソフトウェア／運用実行処理用プログラム）とＯＣクライアント２１との接続関係及びＯＣクライアント２１によりシナリオの遂行（実施／実行）に伴う実行結果の実績情報をＯＣサーバ２２のＯＣナリッジＤＢ／（ＳＫＭＳ）２３（図８参照）に登録（格納）する様子を示した概略図である。ＯＣサーバ２２とＯＣクライアントからなるシステム構成は、例えば図３５に示すとおりである。
【０１４６】
すなわち、ＯＣサーバ２２は、ハード構成として、Ｗｉｎｄｏｗｓ（登録商標）サーバ、メモリ（例えば４ＧＢ以上）、ディスク（例えば２５６ＧＢ以上）から構成され、ソフト構成として、アプリケーション：ＯＣ、ＤＢ：Ｏｒａｃｌｅ１０ｇ、Ｗｅｂサーバ：ＩＩＳ７．０（Windowsに包含）、ＡＰサーバ：Ｔｏｍｃａｔ（フリーウェア）、Ｊａｖａ（登録商標）環境：Ｊａｖａ  ＶＭ（フリーウェア）、ＷｉｎｄｏｗｓＳｅｒｖｅｒ２００８から構成されている。ＯＣクライアント２１は、ハード構成として、Ｗｉｎｄｏｗｓ  ＰＣ、メモリ（例えば１ＧＢ以上）、ディスク（例えば２５６ＧＢ以上）から構成され、ソフト構成として、ＧＵＩツール：Ｆｌａｓｈ  Ｐｌａｙｅｒ  １０．０．３２、Ｉｎｔｅｒｎｅｔ  Ｅｘｐｌｏｒｅｒ  ７．０（Windowsに包含）アプリケーション：ＯＣ、ＤＢ：Ｏｒａｃｌｅ１０ｇ、Ｗｅｂサーバ：ＩＩＳ７．０（Windowsに包含）、Ｗｉｎｄｏｗｓ  ＸＰから構成されている。
【０１４７】
ＯＣナリッジＤＢ／（ＳＫＭＳ）２３は、作業実績（エビデンス）レイヤーにおけるシナリオの情報と実行結果の実績情報とを対応付けして登録するＤＢである。
【０１４８】
同図において、ＯＣクライアント２１にて各作業者が実行したシナリオの作業の実績情報は、作業者により、登録申請される。
この作業実績情報は、例えばＬＡＮ／ＷＡＮなどのネットワーク２４を介してＯＣサーバ２２に送られる。ＯＣサーバ２２は、この作業実績情報を、実行エビデンスとしてＯＣサーバ２２のＤＢ２３に登録する。
【０１４９】
このようにＤＢ２３にＯＣクライアント２１で実行した作業実績情報を実行エビデンスとして登録することにより、該作業実績情報は、ＯＣクライアント２１のＯＣクライアント表示部の画面により確認することが可能な構成となる。
その結果として、シナリオ統制システムを効率的にかつ有効に活用することができる。
【０１５０】
これらは、前述した運用実行処理フローに従って実行するＯＣサーバ２２のＯＣソフトウェア２２１１をもって実現する。ＯＣソフトウェアは、前述した運用実行処理フローを実行するものである。
【０１５１】
図２９は、前述したＯＣ利用の流れ、つまり関係者（チーム員であるシナリオオーサ、運用管理者、作業担当者）毎の作業フローを示す図である。
【０１５２】
同図において、シナリオオーサは、運用手順作成ステップＳ２９１１において、シナリオを作成し、運用管理者に作成したシナリオの承認を得て使用許可を得る。
【０１５３】
運用管理者は、シナリオオーサからのシナリオを受け、その承認を行う。しかるのち、作業予定登録ステップＳ２９１２において、シナリオの作業登録、つまり作業予定を登録し、使用するシナリオを選択する処理を実行し、そのシナリオを作業担当者に割り当てる。
【０１５４】
この割り当ては、シナリオのすべてを一人の担当者に割り当てても、複数の担当者に割り当てても良いことは前述したとおりである。
【０１５５】
割り当てられた作業担当者は、自分の作業予定をＯＣクライアント２１のＯＣクライアント表示部の画面にて確認する。
【０１５６】
作業担当者は、シナリオの作業を確認したあと、次の作業実行進捗管理ステップＳ２９１３において、シナリオの作業項目の作業を開始、実行、遂行する。
【０１５７】
このシナリオの作業項目の作業の開始、実行、遂行は、前述した如く、時間要素を利用して、そのタイミングで実行する。また、時間要素とは別に作業担当者の判断により自由に実行することも可能であるが、シナリオを着実に遂行していく上では、予め定義された時間要素に従って一作業項目毎にステップバイステップで実行していくと良い。
このとき、シナリオの実行による作業実績情報をＤＢ２３に登録し、実行結果（エビデンス）として残し、作業終了する。
【０１５８】
ここで、肝要なことは、シナリオの情報と作業実績情報とを対応付けることである。例えば、シナリオの各作業項目の実行（進捗）に対応して作業実績（エビデンス）を残し、各作業項目の実行に伴う留意事項などの情報が分かるようにことである。
【０１５９】
これにより、各作業者のシナリオの進捗を把握することが可能となる、のみならず、作業者のノウハウを知ることができる。シナリオと作業実績との具体的な対応関係については後述する。
【０１６０】
このように作業実績情報をエビデンスとしてＤＢ２３に登録し、一元管理することにより、運用管理者、作業者及びユーザは、前述したとおり、作業担当者の運用進捗状況を、各表示部の画面にて確認することができる。
【０１６１】
図３０は、ＤＢ２３に登録されたシナリオの進捗を示す図である。
同図において、ＤＢ２３には、シナリオ群の各シナリオの情報と、その実行に伴う進捗実績の情報を含む情報が、作業実績情報（エビデンス）２３ａとして登録されている。
【０１６２】
シナリオ群の各シナリオの情報は、図示の如く、ＯＣクライアント２１のＯＣクライアント表示部の画面にシナリオ進捗統制レイヤー画面として表示される。
【０１６３】
このようにシナリオの各作業項目の作業実績を実行エビデンスとして、ＤＢ２３に登録し、該登録した作業実績（エビデンス）をシナリオと対応付けして、各ＯＣクライアントの表示部に表示することにより、作業実績を容易に確認することが可能となる。
作業数が数百、数千と多く、数ヶ月に亘って実行されるようなシナリオの場合、特に有効である。
【０１６４】
図３１は、ＤＢ２３に登録されたサービスシナリオ（定型的な周期起動作業の例）におけるシナリオ群２３１ａと作業を行った証明となる遂行エビデンス群２３１ｂとの対応関係の一例を示した図である。
【０１６５】
同図において、シナリオ群２３１ａには、シナリオが複数の周毎に登録されている。遂行のエビデンス群２３１ｂは、シナリオ群２３１ａに紐付け付けされて登録されている。
そして、遂行エビデンス群２３１ｂには、各担当者に割り振りされたシナリオの作業項目に対する遂行状況を示す情報が含まれている。
【０１６６】
例えば、申請者、システム窓口（承認印）、サーバ名、システム名、ＩＤ、特権許可証承認印、利用開始日時、終了日時、状況、運用責任者（承認印）などの各情報が含まれる。特権許可証承認印は、例えばＩＤやパスワード発行管理サービスへの適用を考慮してのものである。
このエビデンス群の各情報をＯＣサーバ２２やＯＣクライアント２１などで表示することをもって、作業の進捗情報の確認ができる、のみならず、作業者が作業を行ったことの証明として利用できる。
【０１６７】
図３２は、作業遂行の実績情報の例を示す図である。同図において、作業遂行の実績情報としては、例えば、開始実績日時２２１７、終了実績日時２２１８、スキップ、実行時コメント（留意事項等）２２１９、参考資料などの各情報が含まれる。
【０１６８】
ここで、特に実行時コメント２２１９の情報は、他の担当者が同様な作業を実行する場合、ノウハウ情報として利用することができ、作業効率を向上する上で極めて重要な情報となる。
【０１６９】
この実績情報は、作業ＩＤ２１１１、作業名２１１２、シナリオＩＤ２１１３、シナリオ名２１１４、シナリオ・オブジェクト名２１１５、アクション・シーケンス２１１６、アクション・シーケンス名２１１７、担当者２１１８などを含むシナリオの情報と対応付けられている。
【０１７０】
このように、シナリオの情報と作業遂行の実績情報とを対応付けすることにより、例えばシナリオの情報の作業名２１１２のシナリオ・オブジェクト名２１１５については、実績情報の実行時コメントの情報をもって、「管理センター（Ｐ氏）より受け取り、台数が多い場合には台車等を予め用意すること」を確認することができ、参照資料の情報をもって「配布ＰＣの写真」や「関連ＵＲＬ」を確認することができる。
【０１７１】
これらの情報により、今後の作業の遂行に役立てることができるようになり、作業チーム一体として作業を効率的に実行することができる。
【０１７２】
次に、作業担当者によるシナリオの実行時におけるＯＣクライアントの表示画面において、前述した作業遂行の実績情報の表示例について説明する。
【０１７３】
図３３及び図３４は、シナリオを実行する前と実行した後のＯＣクライアント２１の表示部の画面であるシナリオデータ実行画面及びその一部であるＡＮ展開をドリルダウンしたときの詳細な表示内容を示すアクション・シーケンスデータ実行画面の一例を示す図である。
【０１７４】
実行後のエビデンスには、前述した作業を遂行した際の実績情報（実行結果）が表示され、また参照部分をドリルダウンすることにより、先の実績情報（作業結果）を参照することができる。
【０１７５】
同図において、シナリオデータ実行画面３３０には、申請者欄３３１と受付窓口欄３３２があり、申請者欄には、開始のシナリオ・オブジェクト３３３が表示され、受付窓口欄には、ＡＮ展開（連絡）のシナリオ・オブジェクト３３４が表示される。
【０１７６】
ＡＮ展開（連絡）のシナリオ・オブジェクト３３４をドリルダウンすると、図示するようなアクション・シーケンスデータ実行画面３３４０が表示される。該実行画面には、例えばアクション・シーケンスＩＤ、アクション・シーケンス名、予定担当者、実績担当者、概要、分類、開始予定日時、終了期限日時、備考、担当割当時コメント、システム名、バージョン及び実行時コメント３４５３の各欄が表示される。
【０１７７】
また、下欄のアクション名３３４２、内容詳細／備考３３６１、ステータス３３６２、開始終了日時３３６３、実行時コメント３４５３、エビデンス３４６５、資料３４６６には、それらの内容を確認し得るように情報が表示される。
特に、ステータス２１１６により、完了か否か、実行時コメント３４５３とエビデンス３４６５と資料３４６６の各欄により、シナリオの作業結果（実績情報）などを把握できる。
【０１７８】
以上述べた本実施例では、前記作業手順書の作業項目を含むシナリオに、作業項目の作業を実施するための時間要素を組み合わせた例を前提にしているが、実行エビデンスの登録、表示する技術については、時間要素を含まないシナリオの実行にあっても対応可能である。
【０１７９】
すなわち、一連の作業を構成する各作業項目または作業ステップと作業開始時間要素とを組み合わせ、該時間要素に従って、各作業にかかるタイミングが生じた際に、システム側から作業員に働きかける運用自動化支援システムに限るものではなく、複数の作業項目を自動的に支援するシステムであれば、その作業開始タイミングのための時間要素を含まないシステムにも適用可能である。
【０１８０】
また、ＯＣクライアントの表示部への表示方法としては、作業者が容易に認識できる方法であれば、如何なる方法でも良く、また表示方法と併せて報知する方法を併用するにしても良い。
【産業上の利用可能性】
【０１８１】
ネットワーク管理サービス(NMS: Network Management Service)やＩＴ資産管理サービス(OFITLCM：オーフイットエルシーエム、ＩＣＴ安心ＮＡＶＩ／日立電子サービス株式会社）等のＩＴ系だけでなく、非ＩＴ系への適用として例えばファシリティ系の調達、工事、修繕等の運用サービス提供等、所謂定型的な一連の手順を持つ全ての作業展開、遂行管理に適用可能である。
【符号の説明】
【０１８２】
１０  サービス対象（ＩＴ環境／非ＩＴ環境）
２０  サービス提者者（サービス提供現場）
２１  ＯＣクライアント
２２  ＯＣサーバ
２１１  サービスシナリオ群
２２０  処理部
２２１  運用準備部
２２２  運用実行部
２２３  登録部
７      ナリッジＤＢ
２３    ＳＫＭＳ／ＤＢ（作業実績（エビデンス）レイヤー／ＤＢ）
２２１１  ＯＣソフトウェア
【図１】
0005750334.tif 000002
【図２】
0005750334.tif 000003
【図３】
0005750334.tif 000004
【図４】
0005750334.tif 000005
【図５】
0005750334.tif 000006
【図６】
0005750334.tif 000007
【図７】
0005750334.tif 000008
【図８】
0005750334.tif 000009
【図９】
0005750334.tif 000010
【図１０】
0005750334.tif 000011
【図１１】
0005750334.tif 000012
【図１２】
0005750334.tif 000013
【図１３】
0005750334.tif 000014
【図１４】
0005750334.tif 000015
【図１５】
0005750334.tif 000016
【図１６】
0005750334.tif 000017
【図１７】
0005750334.tif 000018
【図１８】
0005750334.tif 000019
【図１９】
0005750334.tif 000020
【図２０】
0005750334.tif 000021
【図２１】
0005750334.tif 000022
【図２２】
0005750334.tif 000023
【図２３】
0005750334.tif 000024
【図２４】
0005750334.tif 000025
【図２５】
0005750334.tif 000026
【図２６】
0005750334.tif 000027
【図２７】
0005750334.tif 000028
【図２８】
0005750334.tif 000029
【図２９】
0005750334.tif 000030
【図３０】
0005750334.tif 000031
【図３１】
0005750334.tif 000032
【図３２】
0005750334.tif 000033
【図３３】
0005750334.tif 000034
【図３４】
0005750334.tif 000035
【図３５】
0005750334.tif 000036